(57)【要約】【課題】光センサの波長依存性によらず、昼夜認識の精度を高めることが可能な表示装置を提供する。【解決手段】本発明の表示装置は、表示部と、入射光を波長毎に分光して光電変換することにより、波長毎の光エネルギーの分布を示す分布情報を生成する分光取得部とを備えている。また、複数の所定波長の光エネルギーの比率を分布情報に基づいて算出する比率算出部を備えている。また、算出された比率に基づいて入射光の光源の種別を判別する光源判別部を備えている。また、この判別の結果と分光取得部が受光した受光量とに基づいて、表示部の発光量を制御する表示制御部を備えている。表示制御部は、判別の結果が自然光を示す場合に、表示部の発光量を増加させるよう制御する。また判別の結果が人工光を示す場合に、表示部の発光量を低減させるよう制御する。【選択図】図３
2011113022.tif 000002
【特許請求の範囲】
【請求項１】
表示部と、
入射光を波長毎に分光し、前記分光により得られる波長毎の光を光電変換し、前記光電変換により得られる電気信号に基づいて波長毎の光エネルギーの分布を示す分布情報を生成する分光取得部とを備える表示装置において、
予め定められた複数の波長の光エネルギーの比率を前記分布情報に基づいて算出する比率算出部と、
前記比率に基づいて前記表示部の発光量を制御する表示制御部とを備えること
を特徴とする表示装置。
【請求項２】
前記比率算出部により算出された比率に基づいて入射光の光源の種別を判別する光源判別部を備え、
前記表示制御部が、前記判別の結果と前記分光取得部が受光した受光量とに基づいて、前記表示部の発光量を制御する、
請求項１に記載の表示装置。
【請求項３】
前記光源判別部が、前記比率算出部により算出された比率に基づいて、入射光が自然光及び人工光のいずれであるかを判別し、
前記表示制御部が、前記判別の結果が自然光を示す場合に前記表示部の発光量を増加させるよう制御し、前記判別の結果が人工光を示す場合に前記表示部の発光量を低減させるよう制御する、
請求項２に記載の表示装置。
【請求項４】
前記表示制御部が、前記判別の結果に基づいて、前記表示部が表示する画像の色調補正を行う、
請求項２に記載の表示装置。
【請求項５】
前記比率算出部により算出された前記比率を記録する記録部を備え、
前記表示制御部が、前記比率算出部により前記比率が算出された場合に、算出された前記比率と、前記記録部に記録されている前回算出された前記比率との差を比較し、前記差が予め定められた値を越える場合に前記表示部の発光量を制御する、
請求項１に記載の表示装置。
【請求項６】
前記表示部が、バックライトを含み、
前記表示制御部が、前記バックライトに印加される電圧の制御を行うことにより前記表示部の発光量を制御する、
請求項１に記載の表示装置。
【請求項７】
前記分光取得部が、ＣＭＯＳ（Complementary Metal Oxide Semiconductor）集積回路、複数のフォトダイオード、或いは通信パスにより複数の値を取得できるデジタル光センサを用いて、入射光の波長毎の光エネルギーの分布を示す分布情報を生成する、
請求項１に記載の表示装置。
【請求項８】
前記分光取得部が、プリズムまたはレンズを用いて入射光を分光し、前記分光により得られる波長毎の光を、複数の受光素子を備える光センサアレイを用いて光電変換する、    請求項１に記載の表示装置。
【発明の詳細な説明】
【技術分野】
【０００１】
本発明は、人間または車両等の移動体により搬送されて用いられる表示装置に関するものであり、特に装置周囲の光量に応じて発光量を調整する機能を備えた表示装置に関する。
【背景技術】
【０００２】
移動体により搬送されて用いられることが前提とされている表示装置、例えばポータブルナビゲーションや携帯電話において、装置周囲の明るさに応じて表示部の発光量の制御を行うものが実用化されている。
【０００３】
例えば、表示装置に対する入射光を光センサで受光し、光センサから出力される信号の大きさを閾値判定することで、昼夜を判定する表示装置が実用化されている。そしてこの判定結果に基づいて、表示部に含まれるバックライトを必要十分な光量に調整することにより、節電と視認性の向上とを図っている。
【０００４】
しかしながら光センサを構成する素材が異なればその特性も異なるため、周囲光の波長分布特性に適した光センサを使い分ける必要があった。図１０は、素材がそれぞれシリコン（＝Ｓｉ）、ガリウム（＝Ｇａ）、インジウムガリウムヒ化物（＝ＩｎＧａＡｓ）である光センサの、波長毎の受光感度を示している。
【０００５】
例えば、シリコンは３００ｎｍ〜１１００ｎｍの波長の光を受光するのに適しているのに対し、ガリウムは８５０ｎｍ以上の波長の光を受光するのに適している。このように、素材が異なれば測定可能な波長が異なる。
【０００６】
また上記の問題に加え、人工光下や曇天下では、閾値が適切な判定基準にならない可能性があるという問題もある。
【０００７】
上記に関連して特許文献１には、周囲に街灯等の人工照明が存在する場合であっても、昼夜を識別することが可能である人工光検出装置が開示されている。この人工光検出装置は、光センサが出力した電気信号の交流成分のみを検出する交流成分検出手段を備えている。さらに、検出された交流成分を所定の閾値と比較する比較手段を備えている。交流成分が閾値より大きい場合、光センサに人工光が照射されていると判断し、夜間用の動作に切り換える。
【０００８】
また上記に関連して特許文献２には、周囲の光源の波長分布特性に合わせて画面の輝度を自動調整する、液晶ディスプレイ用の調光装置が開示されている。この調光装置は複数の光センサを備えている。複数の中から光源の波長分布特性に合致した光センサを選択し、液晶ディスプレイの周囲の明るさを測定する。そして測定結果に基づいて、インバータを間欠動作させて蛍光管の明るさを可変させる。これにより、周囲の明るさに応じて画面の明るさを調整する。
【先行技術文献】
【特許文献】
【０００９】
【特許文献１】特開平１１−３２６０４３号公報
【特許文献２】特開平１１−１３５２９１号公報
【発明の概要】
【発明が解決しようとする課題】
【００１０】
しかしながら特許文献１の技術では、光センサを用いた閾値判定による昼夜認識を行っているため、センサの波長依存性、つまりばらつきがあると、閾値の判定精度が落ちるという問題があった。また特許文献２の技術は、波長分布特性にあわせて複数の光センサを追加する必要があり、コスト面で不利であった。
【００１１】
本発明は、上記の問題を鑑みてなされたものであり、光センサの波長依存性によらず、昼夜認識の精度を高めることが可能な表示装置を提供することにある。
【課題を解決するための手段】
【００１２】
上記の目的を達成するために本発明の表示装置は、表示部と、入射光を波長毎に分光し、前記分光により得られる波長毎の光を光電変換し、前記光電変換により得られる電気信号に基づいて波長毎の光エネルギーの分布を示す分布情報を生成する分光取得部とを備える表示装置において、予め定められた複数の波長の光エネルギーの比率を前記分布情報に基づいて算出する比率算出部と、前記比率に基づいて前記表示部の発光量を制御する表示制御部とを備えることを特徴とする。
【００１３】
この構成によると、本発明の表示装置は、表示部と、入射光を波長毎に分光し、分光により得られる波長毎の光を光電変換し、光電変換により得られる電気信号に基づいて波長毎の光エネルギーの分布を示す分布情報を生成する分光取得部とを備えている。また、複数の所定波長の光エネルギーの比率を分布情報に基づいて算出する比率算出部を備えている。また、算出された比率に基づいて表示部の発光量を制御する表示制御部を備えている。これにより、受光量の閾値判定を必要とすることなく、装置周囲の環境に応じた発光量制御を行うことが可能である。
【００１４】
また上記の目的を達成するために本発明の表示装置は、前記比率算出部により算出された比率に基づいて入射光の光源の種別を判別する光源判別部を備え、前記表示制御部が、前記判別の結果と前記分光取得部が受光した受光量とに基づいて、前記表示部の発光量を制御する。
【００１５】
この構成によると、本発明の表示装置は、比率算出部により算出された比率に基づいて入射光の光源の種別を判別する光源判別部を備えている。表示制御部が、この判別の結果と分光取得部が受光した受光量とに基づいて、表示部の発光量を制御する。これにより、光源に応じた発光量制御を行うことが可能である。
【００１６】
また上記の目的を達成するために本発明の表示装置は、前記光源判別部が、前記比率算出部により算出された比率に基づいて、入射光が自然光及び人工光のいずれであるかを判別し、前記表示制御部が、前記判別の結果が自然光を示す場合に前記表示部の発光量を増加させるよう制御し、前記判別の結果が人工光を示す場合に前記表示部の発光量を低減させるよう制御する。
【００１７】
この構成によると、光源判別部が、比率算出部により算出された比率に基づいて、入射光が自然光及び人工光のいずれであるかを判別する。表示制御部は、この判別の結果が自然光を示す場合に、表示部の発光量を増加させるよう制御する。また判別の結果が人工光を示す場合に、表示部の発光量を低減させるよう制御する。夜間等において不必要に発光量が増加するのを回避する。
【００１８】
また上記の目的を達成するために本発明の表示装置は、前記表示制御部が、前記判別の結果に基づいて、前記表示部が表示する画像の色調補正を行う。
【００１９】
この構成によると、表示制御部は、上記の判別の結果に基づいて、表示部が表示する画像の色調補正を行う。これにより、光源に応じた色調補正処理を行うことが可能である。
【００２０】
また上記の目的を達成するために本発明の表示装置は、前記比率算出部により算出された前記比率を記録する記録部を備え、前記表示制御部が、前記比率算出部により前記比率が算出された場合に、算出された前記比率と、前記記録部に記録されている前回算出された前記比率との差を比較し、前記差が予め定められた値を越える場合に前記表示部の発光量を制御する。
【００２１】
この構成によると、本発明の表示装置は、比率算出部により算出された比率を記録する記録部を備えている。表示制御部は、比率算出部により上記の比率が算出された場合に、算出された比率と、記録部に記録されている前回算出された比率との差を比較する。そしてこの差が所定値を越える場合に、表示部の発光量を制御する。これにより、周囲の環境が急激に変化した場合にのみ、発光量の制御を行う。
【００２２】
また上記の目的を達成するために本発明の表示装置は、前記表示部が、バックライトを含み、前記表示制御部が、前記バックライトに印加される電圧の制御を行うことにより前記表示部の発光量を制御する。
【００２３】
この構成によると、前記表示部がバックライトを含むように構成されている。表示制御部は、このバックライトに印加される電圧の制御を行うことにより、表示部の発光量を制御する。
【００２４】
また上記の目的を達成するために本発明の表示装置は、前記分光取得部が、ＣＭＯＳ（Complementary Metal Oxide Semiconductor）集積回路、複数のフォトダイオード、或いは通信パスにより複数の値を取得できるデジタル光センサを用いて、入射光の波長毎の光エネルギーの分布を示す分布情報を生成する。
【００２５】
この構成によると、分光取得部は、ＣＭＯＳ集積回路、複数のフォトダイオード、或いは通信パスにより複数の値を取得できるデジタル光センサを備えている。そしてこのデジタル光センサを用いて、入射光の波長毎の光エネルギーの分布を示す分布情報を生成する。
【００２６】
また上記の目的を達成するために本発明の表示装置は、前記分光取得部が、プリズムまたはレンズを用いて入射光を分光し、前記分光により得られる波長毎の光を、複数の受光素子を備える光センサアレイを用いて光電変換する。
【００２７】
この構成によると、分光取得部は、プリズムまたはレンズを用いて入射光を分光する。そして分光された波長毎の光を、複数の受光素子を備える光センサアレイを用いて光電変換する。これにより、入射光の波長毎の光エネルギーの分布を示す分布情報を生成する。
【発明の効果】
【００２８】
本発明によれば、入射光から得られる光エネルギーと閾値とを比較するのではなく、複数の波長の光エネルギーの比率に基づいて、自然光下であるか、或いは人工光下であるかを判定する。このため、センサの波長依存性や入射光の光量の影響を受けることなく、周囲の環境を識別して発光量の調整を行うことができる。これにより、表示部の視認性を高めることができる。
【００２９】
また本発明によれば、太陽光下等において不必要にバックライトの光量を上げることを防止できるため、省電力の点で有利である。
【図面の簡単な説明】
【００３０】
【図１】本発明の表示装置の装置構成を示すブロック図である。
【図２】本発明の表示装置を含むナビゲーションシステムのシステム構成を示すブロック図である。
【図３】本発明の表示装置が備える機能部の構成を示す機能ブロック図である。
【図４】本発明の受光比算出処理を示すフロー図である。
【図５】本発明の発光量制御処理を示すフロー図である。
【図６】本発明の環境判別テーブルの一例を示すテーブル図である。
【図７】太陽光の分光分布を示すグラフ図である。
【図８】蛍光灯の分光分布を示すグラフ図である。
【図９】分光取得部の一例を示す模式図である。
【図１０】光センサの特性を示すグラフ図である。
【発明を実施するための形態】
【００３１】
以下に本発明の実施形態を、図面を参照しながら説明する。なお、ここで示す実施形態は一例であり、本発明はここに示す実施形態に限定されるものではない。
〈１．表示装置の構成について〉
【００３２】
図１は、本発明の一実施形態に係るポータブルナビゲーション１００（＝表示装置）の内部構成示すブロック図である。なお本実施形態のポータブルナビゲーション１００は、車両１に搭載されてナビゲーションシステムの一部を構成する電子機器である。
【００３３】
図２は、ポータブルナビゲーション１００が含まれるナビゲーションシステムの構成を示すブロック図である。ナビゲーションシステムは少なくとも、車両１、及びＧＰＳ（Global Positioning System）衛星２を含むように構成されている。
【００３４】
車両１は、ポータブルナビゲーション１００が搭載された移動体である。ＧＰＳ衛星２は、衛星軌道上に配置され、特定の電波（例えば１．５７５ＧＨｚのＬ１電波等）を地上のＧＰＳ受信機に対して送信する。これにより、位置情報を算出するための各種情報、例えばＧＰＳ衛星２の座標情報や、電波の伝搬時間を計測するための時刻情報等を送信する。
【００３５】
ポータブルナビゲーション１００は、図１のブロック図に示すように、少なくとも制御部１０、ＧＰＳアンテナ２０、測位航法装置２１、ＬＣＤ（Liquid Crystal Display）３０（＝表示部）、バックライト３１、タッチパネル３２、スピーカ４０、マルチライトセンサ５０（＝デジタル光センサ、分光取得部）、ＲＡＭ６０、ＲＯＭ６１、及びフラッシュメモリ６２（＝記録部）を含むように構成されている。
【００３６】
制御部１０は、ポータブルナビゲーション１００の各部材の駆動を有機的に制御して、位置情報の取得処理や表示処理等を統括制御するものである。また制御部１０は、制御部１０が備える演算処理装置上で所定のプログラムを実行することにより実現される機能部として、波長レベル検出部１１〜表示制御部１３（図３）を備えている。なお、各機能部が実施する処理の詳細については後述する。
【００３７】
ＧＰＳアンテナ２０は、ＧＰＳ衛星２から発せられる特定の電波（例えば１．５７５ＧＨｚのＬ１電波等）を受信するための受信機である。ＧＰＳアンテナ２０は、複数のＧＰＳ衛星２から各ＧＰＳ衛星２の座標情報等を含む信号を受信することが可能である。
【００３８】
測位航法装置２１は、ＧＰＳアンテナ２０で受信した信号をデコードして緯度経度情報を生成する測位装置と、ジャイロ及び車速センサにより速度情報、姿勢角情報を生成する航法装置とからなる装置である。
【００３９】
ＬＣＤ３０は、液晶パネル及びドライバ等からなる表示装置であり、その背後にバックライト３１を備えている。ドライバは、制御部１０から送られてくる画像データのデコードを行い、液晶パネルの各画素電極に対して駆動電圧を印加する。これを受けた液晶パネルは、印加された駆動電圧に基づいて画像を表示する。これにより、ポータブルナビゲーション１００が保持する各種情報、例えば交通情報やメニュー画面等を表示することが可能である。
【００４０】
バックライト３１は、液晶パネルの裏側に配置されている発光装置である。バックライト３１は、例えば光源に冷陰極管を用いるエッジライト方式や、蛍光ランプを液晶パネルの背面に並べる直下型方式のものを用いる。このバックライト３１の光源の発光量は、後述する表示制御部１３により制御される。
【００４１】
タッチパネル３２は、ＬＣＤ３０の表示画面前面に貼付配置された操作用装置である。タッチパネル３２が貼付された表示領域に車両１の運転者がタッチ操作を行うと、操作位置座標に応じた制御指示が生成され、制御部１０に与えられる。
【００４２】
スピーカ４０は、車両１の搭乗者に対して各種情報を含む音声を出力する音声出力装置である。スピーカ４０は例えば、ナビゲーション処理における案内音声や警告音声等を出力するのに用いられる。
【００４３】
マルチライトセンサ５０は、複数のワイヤ及びＳＭＢｕｓ（System Management Bus）シリアルインターフェイスを備えたデジタル光センサである。マルチライトセンサ５０は、１２ビットのダイナミックレンジの光測定を行うため、二つのフォトダイオード及びＣＭＯＳ集積回路上のコンパンディングＡＤ変換器を組み合わせている。
【００４４】
これによりマルチライトセンサ５０は、入射光の波長毎の分光分布を示す分布情報を取得する。例えば図７は、太陽光の分光分布の一例を、図８は蛍光灯の分光分布の一例を示している。なおマルチライトセンサ５０としては例えば、ＴＡＯＳ社（http://www.taosinc.com）が製造している周囲光センサ（ＴＳＬ２５５０等）を用いる。
【００４５】
ＲＡＭ６０は、制御部１０が各種処理を実施する際の処理データを一時的に記録する読み書き可能な記録媒体である。例えばタッチパネル３２が検知したユーザ操作の内容や、ユーザ操作に基づいて設定される各設定項目等を記録する。
【００４６】
ＲＯＭ６１は、プログラムや工場出荷時の各種設定情報等、ユーザによる書き換えが行われることのない情報を記録する、読み取り専用の記録媒体である。ＲＯＭ６１例えば、制御部１０が実行するファームウェアプログラム等を記録している。
【００４７】
フラッシュメモリ６２は、データサイズが比較的大きい情報を記録するための記録媒体である。フラッシュメモリ６２は例えば、ナビゲーション処理に用いられる地図データベースや、スピーカ４０から音声を出力するための音声情報等を記録するのに用いられる。
〈２．受光比算出処理について〉
【００４８】
ここで、本発明の一実施形態に係るポータブルナビゲーション１００が実施する受光比算出処理の概要を、図４のフロー図を用いながら説明する。図４に示す処理フローは、ポータブルナビゲーション１００が稼働状態となった時点で開始される。また本処理は、ポータブルナビゲーション１００が稼働状態である限り所定周期、例えば一秒周期で繰り返し実行されるものとする。
【００４９】
本処理の開始後、受光比算出部１１ｂ（＝比率算出部）はステップＳ１１０において、５５０ｎｍの波長レベル（＝波長毎の受光量を示す信号レベル）をマルチライトセンサ５０を用いて取得する。そして取得した値を、変数ＬＶ５５０Ｒに代入する。
【００５０】
次に受光比算出部１１ｂはステップＳ１２０において、マルチライトセンサ５０の波長毎の感度に応じて、ＬＶ５５０Ｒの値を補正する。そして補正した値を、変数ＬＶ５５０Ｃに代入する。
【００５１】
次に受光比算出部１１ｂはステップＳ１３０において、７００ｎｍの波長レベルをマルチライトセンサ５０を用いて取得する。そして取得した値を、変数ＬＶ７００Ｒに代入する。
【００５２】
次に受光比算出部１１ｂはステップＳ１４０において、マルチライトセンサ５０の波長毎の感度に応じて、ＬＶ７００Ｒの値を補正する。そして補正した値を、変数ＬＶ７００Ｃに代入する。
【００５３】
なお検出対象とする波長（上記の例では５５０ｎｍと７００ｎｍ）は、検出波長設定部１１ａにより変更可能である。検出波長設定部１１ａは、タッチパネル３２等を用いて、検出対象とする波長を受け付ける。そして受け付けた値を、フラッシュメモリ６２に記録する。受光比算出部１１ｂはこの値を参照して、ステップＳ１１０〜ステップＳ１４０を実施する。
【００５４】
次に受光比算出部１１ｂはステップＳ１５０において、受光比の算出を行う。具体的には以下の計算式に示すように、ＬＶ５５０ＣをＬＶ７００Ｃで除算した値を受光比Ｒａｔｉｏとする。
Ｒａｔｉｏ＝ＬＶ５５０Ｃ÷ＬＶ７００Ｃ
【００５５】
次に受光比算出部１１ｂはステップＳ１６０において、後述する変数Ｒａｔｉｏ＿ｂａｋと、上記で算出したＲａｔｉｏとの差を比較する。そしてこの差が所定値（本実施形態では１とする）以内であるか否かを判定する。
【００５６】
なお、Ｒａｔｉｏ＿ｂａｋに値が代入されていない場合、ステップＳ１６０をスキップしてステップＳ１７０へ移行する。或いは、所定のデフォルト値をＲａｔｉｏ＿ｂａｋに代入した後、上記の比較を行う形態でもよい。
【００５７】
判定の結果、１以内である場合、受光比算出部１１ｂはステップＳ１７０において、Ｒａｔｉｏの値をＲａｔｉｏ＿ｂａｋに代入した後、本処理を終了する。
【００５８】
判定の結果、１を超える場合、受光比算出部１１ｂはステップＳ１６５において、比率変化が発生したことを示す通知（以下、「比率変化イベント」という）を表示制御部１３に送信する。送信が完了すると、ステップＳ１７０に移行した後、本処理を終了する。
〈３．発光量制御処理について〉
【００５９】
ここで、本発明の一実施形態に係るポータブルナビゲーション１００が実施する発光量制御処理の概要を、図５のフロー図を用いながら説明する。図５に示す処理フローは、ポータブルナビゲーション１００が稼働状態となった時点で開始される。
【００６０】
本処理の開始後、表示制御部１３はステップＳ２１０において、上述の比率変化イベントを受光比算出部１１ｂより受信したか否かを判定する。受信していない場合、再びステップＳ２１０に移行し、継続して受信を待ち受ける。比率変化イベントを受信した場合、次のステップＳ２２０へ移行する。
【００６１】
次に表示制御部１３はステップＳ２２０において、昼夜の判定処理を行うよう、昼夜判定部１２（＝光源判別部）に指示する。これを受けた昼夜判定部１２は、マルチライトセンサ５０を用いて、受光量の測定を行う。
【００６２】
次に昼夜判定部１２はステップＳ２３０において、測定した受光量と、上記の比率変化イベントに示されているＲａｔｉｏの値とに基づいて、昼夜判定処理を行う。具体的には例えば、図６に示す環境判別テーブルを用いて判定を行う。
【００６３】
図６に示すように、受光量が１０ｍＶ以上であり、且つＲａｔｉｏが３未満である場合、昼間の太陽光（＝自然光）を受光していると判定する。受光量が１０ｍＶ以上であり、且つＲａｔｉｏが３以上である場合、夜間の蛍光灯（＝人工光）を受光しているとみなす。受光量が１０ｍＶ未満である場合、Ｒａｔｉｏにかかわらず夜間であると判定する。
【００６４】
なお、上記の値はあくまで一例であり、本発明の趣旨を逸脱しない範囲において、上記の値を適宜変更することも可能である。
【００６５】
次にステップＳ２４０において、上記の判定結果に基づいて処理の分岐を行う。判定結果が昼間である場合、表示制御部１３はステップＳ２５０において、発光量を所定値だけ増加させるよう、バックライト３１の制御を行う。判定結果が夜間である場合、表示制御部１３はステップＳ２５５において、発光量を所定値だけ低減させるよう、バックライト３１の制御を行う。
【００６６】
ステップＳ２５０またはステップＳ２５５の処理が完了すると、再びステップＳ２１０へ移行し、継続して比率変化イベントを待ち受ける。なお以上の処理フローは、例えばポータブルナビゲーション１００の電源が停止される等により実行不能となるまで、継続して行われるものとする。
【００６７】
以上に説明した本実施形態は、７８０ｎｍ近辺の波長レベルと、５５０ｎｍ近辺の波長レベルとの比が、太陽光下と蛍光灯下とでは大きく異なることを利用している。太陽光下では、図７に示すように、両波長レベルの比がほぼ２：１となる。
【００６８】
この関係と、マルチライトセンサ５０の感度分布の相関関係をもって、太陽光下であるか否かを判定する。太陽光下である場合、マルチライトセンサ５０で受光した全ての受光量に応じたＰＷＭ制御を行い、バックライト３１の発光量を調節する。
【００６９】
これに対して蛍光灯下では、図８に示すように、赤外光がほとんどなく、５５０ｎｍ近辺の波長レベルが極端に大きい。従ってこの特性をもって蛍光灯下であると判定する。蛍光灯下である場合、一般的な照明下でＬＣＤ３０を認識できる発光量となるよう、バックライト３１を制御する。これにより、ポータブルナビゲーション１００の周囲に適した、発光量調整を行うことができる。
［その他の実施の形態］
【００７０】
以上、好ましい実施の形態及び実施例を挙げて本発明を説明したが、本発明は必ずしも上記実施の形態に限定されるものではなく、その技術的思想の範囲内において様々に変形して実施することができる。
【００７１】
従って本発明は、以下の形態にも適用可能である。
【００７２】
（Ａ）上記実施形態では、本発明の受光比算出処理及び発光量制御処理に関わる各機能部が、マイクロプロセッサ等の演算処理装置上で所定のプログラムを実行することにより実現されているが、各種機能部が複数の回路により実現される形態でもよい。
【００７３】
（Ｂ）上記実施形態では、本発明の受光比算出処理及び発光量制御処理を実施する表示装置としてポータブルナビゲーション１００を例に説明したが、これ以外の表示装置において本発明を実施する形態でもよい。例えば携帯電話、ＰＤＡ、ポータブルテレビ、屋外用大型液晶ディスプレイ等において実施する形態でもよい。
【００７４】
（Ｃ）上記実施形態では、５５０ｎｍの波長レベルと７００ｎｍの波長レベルとを比較することにより受光比Ｒａｔｉｏを算出しているが、比較する波長は上記に限定されるものではなく、本発明の趣旨を逸脱しない範囲において適宜変更可能である。
【００７５】
（Ｄ）上記実施形態では、分光取得部としてマルチライトセンサ５０を例に説明を行ったが、これ以外の部材からなる分光取得部を用いる形態でもよい。例えば図９に示すように、プリズム９０により入射光を波長分離し、各波長の光をエンコーダ用フォトＩＣ９１（＝光センサアレイ）により受光して信号に変換することにより、分光分布を取得する形態でもよい。なおエンコーダ用フォトＩＣ９１は、各波長の光が、それぞれの波長に対応する光センサに照射されるよう、複数の光センサが並べられて構成されている。
【００７６】
（Ｅ）上記実施形態では、受光比算出処理の結果に基づいて発光量制御処理を行っているが、これ以外の処理を、受光比算出処理の結果に基づいて実施する形態でもよい。例えば、ＬＣＤ３０に表示される画像の色調補正処理を、受光比算出処理の結果に基づいて実施する形態でもよい。
【符号の説明】
【００７７】
１        車両
２        ＧＰＳ衛星
１００    ポータブルナビゲーション（表示装置）
１０      制御部
１１      波長レベル検出部
１１ａ    検出波長設定部
１１ｂ    受光比算出部（比率算出部）
１２      昼夜判別部（光源判別部）
１３      表示制御部
２０      ＧＰＳアンテナ
２１      測位航法装置
３０      ＬＣＤ（表示部）
３１      バックライト
３２      タッチパネル
４０      スピーカ
５０      マルチライトセンサ（分光取得部、デジタル光センサ）
６０      ＲＡＭ
６１      ＲＯＭ
６２      フラッシュメモリ（記録部）
９０      プリズム
９１      エンコーダ用フォトＩＣ（光センサアレイ）
【図１】
2011113022.tif 000003
【図２】
2011113022.tif 000004
【図３】
2011113022.tif 000005
【図４】
2011113022.tif 000006
【図５】
2011113022.tif 000007
【図６】
2011113022.tif 000008
【図７】
2011113022.tif 000009
【図８】
2011113022.tif 000010
【図９】
2011113022.tif 000011
【図１０】
2011113022.tif 000012